(57)【要約】【課題】信頼性が高く、設計の自由度も高いスイッチ用可動接点体及びスイッチ装置を提供する。【解決手段】金属板ばねを外周縁から頂部に向けて膨出させ反転自在とした膨出部１０を有すると共に、膨出部１０内面に可動接点部１２を形成してなる可動接点ばね１を、下面に粘着剤２０を設けた可撓性の粘着シート２に被着してなり、可動接点ばね１には外周縁部の全周を膨出部１０の膨出方向に連続状に折り返した環状鍔部１１を設けると共に、環状鍔部１１の折り曲げ部分に固定接点６１に対する接点部１３を形成し、環状鍔部１１によって粘着シート２からの粘着剤２０の移動を阻止する。【選択図】図１
2007280616.tif 000002
【特許請求の範囲】
【請求項１】
金属板ばねを外周縁から頂部に向けて膨出させ反転自在とした膨出部を有すると共に、該膨出部内面に可動接点部を形成してなる可動接点ばねを、下面に粘着剤を設けた可撓性の粘着シートに被着してなるスイッチ用可動接点体において、
前記可動接点ばねには外周縁部の全周を前記膨出部の膨出方向に連続状に折り返した環状鍔部を設けると共に、該環状鍔部の折り曲げ部分に固定接点に対する接点部を形成し、前記環状鍔部によって前記粘着シートからの粘着剤の移動を阻止することを特徴とするスイッチ用可動接点体。
【請求項２】
前記環状鍔部は先端部を前記粘着シートの下面と近接または接触するように突出させてなることを特徴とする請求項１記載のスイッチ用可動接点体。
【請求項３】
前記粘着シートは前記環状鍔部の外周側まで延びる粘着部を有し、該粘着部の下面にはスペーサシートが設けられて前記環状鍔部の先端部と前記粘着シートとの間に空隙を形成することを特徴とする請求項１記載のスイッチ用可動接点体。
【請求項４】
前記可動接点ばねと粘着シートとを一体的に剥離可能に保持する剥離シートを設けてなることを特徴とする請求項１〜３のいずれか１項に記載のスイッチ用可動接点体。
【請求項５】
中央固定接点と周辺固定接点とを有する基台と、該基台の周辺固定接点に外周縁部を支持させる反転自在な可動接点ばねと、該可動接点ばねの上面に粘着剤を介して設けられる粘着シートとを備え、前記可動接点ばねを反転させることで前記周辺固定接点と中央固定接点との導通状態を切替えるスイッチ装置において、
前記可動接点ばねは金属板ばねを外周縁から頂部に向けて膨出させ反転自在とした膨出部と、外周縁部の全周を前記膨出部の膨出方向に連続状に折り返した環状鍔部とを有し、該環状鍔部の折返し部分には前記周辺固定接点と常時導通する常接接点部を形成し、前記膨出部内面には前記中央固定接点と対向し接離自在な可動接点部を形成し、
前記環状鍔部によって前記粘着シートからの粘着剤の移動を阻止することを特徴とするスイッチ装置。
【請求項６】
前記環状鍔部は先端部を前記粘着シートを持ち上げるように突出させてなることを特徴とする請求項５記載のスイッチ装置。
【請求項７】
前記粘着シートは前記環状鍔部の外周側まで延びる粘着部を有し、前記周辺固定接点の外周縁の厚みによって前記粘着シートの粘着部を持ち上げて第１の持ち上がり部を形成し、前記環状鍔部の先端部によって前記粘着シートを持ち上げて第２の持ち上がり部を形成することを特徴とする請求項６記載のスイッチ装置。
【請求項８】
前記粘着シート上には粘着剤の厚い部分を島状または帯状に形成し、粘着剤の薄い部分または粘着剤の設けられていない部分で前記可動接点ばね内部と連通する空気流路を形成してなることを特徴とする請求項６または７記載のスイッチ装置。
【請求項９】
前記粘着シートは前記環状鍔部の外周側まで延びる粘着部を有し、該粘着部はスペーサシートを介して前記基台に固定されると共に、前記スペーサシートによって前記環状鍔部の先端部と前記粘着シートとの間に空隙を形成してなることを特徴とする請求項５記載のスイッチ装置。
【発明の詳細な説明】
【技術分野】
【０００１】
本発明は、反転自在な可動接点ばねを粘着シートによって保持するスイッチ用可動接点体及び前記可動接点ばねの外周端面を周辺の固定接点に支持させてなるスイッチ装置に関する。
【背景技術】
【０００２】
従来から、反転自在なドーム状の可動接点ばねの外周端面を周辺に設けられる固定接点に支持させてなるスイッチ装置が知られており、またこのようなスイッチ装置に用いられる可動接点ばねの上面側を粘着シートによって保持したスイッチ用可動接点体も知られている。このようなスイッチ用可動接点体及びスイッチ装置としては、例えば特許文献１に挙げるようなものがある。
【特許文献１】特開平１０−１９９３６５号公報
【発明の開示】
【発明が解決しようとする課題】
【０００３】
しかし、従来のスイッチ用可動接点体をスイッチ装置に用いた場合、スイッチ装置が過酷な環境にさらされた際に、粘着シートの粘着剤が凝集破壊することがある。このように粘着剤が凝集破壊した場合には、可動接点ばねの押圧操作の繰り返しによって可動接点ばねの表面を粘着剤が移動し、周辺固定接点との当接部分から粘着剤が内部に侵入し導通の妨げとなることがあった。このために粘着剤の材質が制限され、設計の自由度を確保できないという問題点があった。
【０００４】
本発明は上記課題を鑑みてなされたものであり、信頼性が高く、設計の自由度も高いスイッチ用可動接点体及びスイッチ装置を提供することを目的とする。
【課題を解決するための手段】
【０００５】
上記課題を解決するため、本発明に係るスイッチ用可動接点体は、金属板ばねを外周縁から頂部に向けて膨出させ反転自在とした膨出部を有すると共に、該膨出部内面に可動接点部を形成してなる可動接点ばねを、下面に粘着剤を設けた可撓性の粘着シートに被着してなるスイッチ用可動接点体において、
前記可動接点ばねには外周縁部の全周を前記膨出部の膨出方向に連続状に折り返した環状鍔部を設けると共に、該環状鍔部の折り曲げ部分に固定接点に対する接点部を形成し、前記環状鍔部によって前記粘着シートからの粘着剤の移動を阻止することを特徴として構成されている。
【０００６】
また、本発明に係るスイッチ用可動接点体は、前記環状鍔部は先端部を前記粘着シートの下面と近接または接触するように突出させてなることを特徴として構成されている。
【０００７】
さらに、本発明に係るスイッチ用可動接点体は、前記粘着シートは前記環状鍔部の外周側まで延びる粘着部を有し、該粘着部の下面にはスペーサシートが設けられて前記環状鍔部の先端部と前記粘着シートとの間に空隙を形成することを特徴として構成されている。
【０００８】
さらにまた、本発明に係るスイッチ用可動接点体は、前記可動接点ばねと粘着シートとを一体的に剥離可能に保持する剥離シートを設けてなることを特徴として構成されている。
【０００９】
そして、本発明に係るスイッチ装置は、中央固定接点と周辺固定接点とを有する基台と、該基台の周辺固定接点に外周縁部を支持させる反転自在な可動接点ばねと、該可動接点ばねの上面に粘着剤を介して設けられる粘着シートとを備え、前記可動接点ばねを反転させることで前記周辺固定接点と中央固定接点との導通状態を切替えるスイッチ装置において、
前記可動接点ばねは金属板ばねを外周縁から頂部に向けて膨出させ反転自在とした膨出部と、外周縁部の全周を前記膨出部の膨出方向に連続状に折り返した環状鍔部とを有し、該環状鍔部の折返し部分には前記周辺固定接点と常時導通する常接接点部を形成し、前記膨出部内面には前記中央固定接点と対向し接離自在な可動接点部を形成し、
前記環状鍔部によって前記粘着シートからの粘着剤の移動を阻止することを特徴として構成されている。
【００１０】
また、本発明に係るスイッチ装置は、前記環状鍔部は先端部を前記粘着シートを持ち上げるように突出させてなることを特徴として構成されている。
【００１１】
さらに、本発明に係るスイッチ装置は、前記粘着シートは前記環状鍔部の外周側まで延びる粘着部を有し、前記周辺固定接点の外周縁の厚みによって前記粘着シートの粘着部を持ち上げて第１の持ち上がり部を形成し、前記環状鍔部の先端部によって前記粘着シートを持ち上げて第２の持ち上がり部を形成することを特徴として構成されている。
【００１２】
さらにまた、本発明に係るスイッチ装置は、前記粘着シート上には粘着剤の厚い部分を島状または帯状に形成し、粘着剤の薄い部分または粘着剤の設けられていない部分で前記可動接点ばね内部と連通する空気流路を形成してなることを特徴として構成されている。
【００１３】
そして、本発明に係るスイッチ装置は、前記粘着シートは前記環状鍔部の外周側まで延びる粘着部を有し、該粘着部はスペーサシートを介して前記基台に固定されると共に、前記スペーサシートによって前記環状鍔部の先端部と前記粘着シートとの間に空隙を形成してなることを特徴として構成されている。
【発明の効果】
【００１４】
本発明に係るスイッチ用可動接点体によれば、可動接点ばねには外周縁部の全周を膨出部の膨出方向に連続状に折り返した環状鍔部を設け、環状鍔部によって粘着シートからの粘着剤の移動を阻止することにより、可動接点ばねと粘着シートの間の粘着剤で凝集破壊が生じても、環状鍔部によって粘着剤の移動を阻止できるので、信頼性を高くすることができると共に、設計の自由度も高くすることができる。
【００１５】
また、本発明に係るスイッチ用可動接点体によれば、環状鍔部は先端部を粘着シートの下面と近接または接触するように突出させてなることにより、粘着剤を環状鍔部で堰き止めることができて、確実に移動を阻止することができる。
【００１６】
さらに、本発明に係るスイッチ用可動接点体によれば、粘着部の下面にはスペーサシートが設けられて環状鍔部の先端部と粘着シートとの間に空隙を形成することにより、粘着シートによる環状鍔部の先端部の拘束をなくし、より良好なクリック感触を得ることができる。
【００１７】
さらにまた、本発明に係るスイッチ用可動接点体によれば、可動接点ばねと粘着シートとを一体的に剥離可能に保持する剥離シートを設けたことにより、運搬や保管時に可動接点ばねの接点面や粘着面を保護することができ、またスイッチ装置の基台に対する実装も容易に行うことができる。
【００１８】
そして、本発明に係るスイッチ装置によれば、可動接点ばねは金属板ばねを外周縁から頂部に向けて膨出させ反転自在とした膨出部と、外周縁部の全周を膨出部の膨出方向に連続状に折り返した環状鍔部とを有し、環状鍔部によって粘着シートからの粘着剤の移動を阻止することにより、接点側への移動を阻止することができ、簡単な構成で接触信頼性の高いスイッチ装置とすることができる。
【００１９】
また、本発明に係るスイッチ装置によれば、環状鍔部は先端部を粘着シートを持ち上げるように突出させてなることにより、可動接点ばねの頂部側から粘着剤が移動してきてもこれを確実に堰き止めて阻止することができる。また、粘着シートと基台が接触する接触端部を可動接点ばねの周辺固定接点に対する当接位置から離れた位置とすることができるので、基台側から接点側への粘着剤の移動も防止することができる。
【００２０】
さらに、本発明に係るスイッチ装置によれば、周辺固定接点の外周縁の厚みによって粘着シートの粘着部を持ち上げて第１の持ち上がり部を形成し、環状鍔部の先端部によって粘着シートを持ち上げて第２の持ち上がり部を形成することにより、第１の持ち上がり部により可動接点ばねの頂部側からの粘着剤の移動を阻止し、第２の持ち上がり部により基台側からの粘着剤の移動を阻止することができる。
【００２１】
さらにまた、本発明に係るスイッチ装置によれば、粘着シート上には粘着剤の厚い部分を島状または帯状に形成し、粘着剤の薄い部分または粘着剤の設けられていない部分で可動接点ばね内部と連通する空気流路を形成してなることにより、可動接点ばねの反転時における空気流路を簡単に構成することができる。
【００２２】
そして、本発明に係るスイッチ装置によれば、粘着部はスペーサシートを介して基台に固定されると共に、スペーサシートによって環状鍔部の先端部と前記粘着シートとの間に空隙を形成してなることにより、粘着シートによる環状鍔部の先端部の拘束をなくし、より良好なクリック感触を得ることができる。
【発明を実施するための最良の形態】
【００２３】
本発明の実施形態について図面に沿って詳細に説明する。第１の実施形態では、スイッチ用可動接点体とそれを用いたスイッチ装置について示す。図１には第１の実施形態におけるスイッチ用可動接点体の断面図を示している。スイッチ用可動接点体は、略ドーム状に形成される可動接点ばね１の上面側に粘着シート２を設けてこれを保持し、さらに粘着シート２の粘着面に剥離可能に貼り合わされたセパレータシート４を介して下面側に保護シート５を設けてなるものである。このスイッチ用可動接点体をスイッチ装置に用いる際には、剥離シートとしてのセパレータシート４及び保護シート５は除去され、粘着シート２とこれによって保持された可動接点ばね１とが一体的に剥離されて、中央固定接点６０や周辺固定接点６１が形成された基台６に対して載置され、粘着シート２の粘着剤によって固定される。
【００２４】
粘着シート２の下面には粘着剤が設けられており、これによって粘着シート２の下面に可動接点ばね１が被着される。セパレータシート４は、粘着シート２の粘着剤との対向面に剥離コート処理が施されてなり、可動接点ばね１よりも若干大きな径の貫通孔を有しており、この貫通孔部分に可動接点ばね１を納めるようにしている。保護シート５は、セパレータシート４の貫通孔及び可動接点ばね１の下面を覆うように粘着剤を介してセパレータシート４に貼り付けられ、スイッチ用可動接点体の運搬や保管時において可動接点ばね１の接点面や粘着層を保護するようにしている。
【００２５】
図２には、可動接点ばね１の底面図及びＡ−Ａ断面図を示している。図２（ａ）が底面図、図２（ｂ）がＡ−Ａ断面図である。図２（ａ）に示すように、可動接点ばね１は平面視を円形に形成されており、頂部となる中心部近傍には、下方に向かって凸状に形成される可動接点部１２が３つ設けられる。また、図２（ｂ）に示すように、可動接点ばね１は外周縁から頂部に向けて膨出させ反転自在とした膨出部１０を有し、外周縁部についてはその全周を膨出部１０の膨出方向に向かって連続状に折り返した環状鍔部１１を設けている。また、環状鍔部１１の折り曲げ部分は、スイッチ装置に組み込まれた際には下面が基台６の周辺固定接点６１に常時接触する常接接点部１３として形成される。
【００２６】
図３には、粘着シート２の底面図及びＡ−Ａ断面図を示している。図３（ａ）が底面図、図３（ｂ）がＡ−Ａ断面図である。これら各図に示すように、粘着シート２の底面には、粘着剤２０の厚い部分と薄い部分とがあって、粘着剤２０の厚い部分は菱形の島状部２５が複数配列されるように設けられ、粘着剤２０の薄い部分は島状部２５を囲むように線状に設けられる。粘着シート２が可動接点ばね１を覆った際には、島状部２５のみが可動接点ばね１の上面に被着する。そして、粘着剤２０の薄い部分は可動接点ばね１が納められた空間部と連通して空気流路２６として機能する。なお、図３では空気流路２６は粘着剤２０の薄い部分としているが、代わりに粘着剤２０を設けない部分としてもよい。
【００２７】
また、図１に示すように、可動接点ばね１の環状鍔部１１は、先端部が上方に向かうように形成されており、粘着シート２の下面近傍位置まで突出されている。粘着シート２は、環状鍔部１１よりも外周側まで延びて粘着部２１を構成しており、この粘着部２１においては保護シート５との間にセパレータシート４を介している。このため、スイッチ用可動接点体の状態では環状鍔部１１の先端部と接触せず近接した状態となっているが、スイッチ装置を構成する際にはセパレータシート４は除去されて、粘着部２１の下面が基台６に直接被着されるので、粘着シート２の下面は環状鍔部１１の先端部に接触し若干持ち上げられる。そしてこの部分によって、可動接点ばね１と粘着シート２の間の粘着剤２０が凝集破壊した場合に、粘着剤２０の可動接点ばね１の外周側への移動を阻止することができる。
【００２８】
また、このように可動接点ばね１に環状鍔部１１を設けたことにより、可動接点ばね１の外周の応力振幅を小さくすることができ、外周からの割れを防止して長寿命化を図ることができる。さらに、可動接点ばね１のエッジ部分ではなく折り曲げ部分が周辺固定接点６１と常接するので、接点削れがなく、接触抵抗変化を小さくすることができる。そして、環状鍔部１１は可動接点ばね１の全周が連続して折り曲げて形成されていることにより、外周部付近における剛性を高めることができ、傾斜角度を小さくして膨出部の高さを低く形成しても、同等の作動力特性を得ることができるため、スイッチ用可動接点体全体の高さを低くして、薄型化を図ることができる。
【００２９】
図４には、本実施形態におけるスイッチ装置の断面図を示している。この図に示すように、スイッチ用可動接点体は、保護シート５とセパレータシート４が除去され、可動接点ばね１と粘着シート２が基台６上に配置されることによって、スイッチ装置を構成する。基台６は、中央固定接点６０とその周囲に離隔して設けられる周辺固定接点６１とを上面に有し、可動接点ばね１の可動接点部１２は中央固定接点６０と対向し、可動接点ばね１の常接接点部１３は周辺固定接点６１と常時接触するように配置される。なお、中央固定接点６０は、スルーホール６０ａを介して基台６の裏面側に導通する。また、中央固定接点６０と、周辺固定接点６１はそれぞれ図示せぬ外部出力端子部に接続されている。
そして、このように構成されたスイッチ装置は、例えば携帯通信端末のキースイッチとして使用され、可動接点ばね１上に図示せぬ押釦が配置され、操作者が押釦を押圧操作することにより、可動接点ばね１の膨出部１０が反転して可動接点部１２が中央固定接点６０に接触し、可動接点ばね１を介して周辺固定接点６１と導通し外部出力端子部から信号が送出される。また、膨出部１０の反転に伴ってクリック感触が生起され押釦を介して操作者へ伝達されるので操作性の良いスイッチ装置を提供できる。
【００３０】
図５には、スイッチ装置の分解斜視図を示している。この図に示すように基台６上には複数の中央固定接点６０と周辺固定接点６１とのペアが配置されており、それに対応して複数の可動接点ばね１が設けられる。さらに、これら全ての可動接点ばね１を覆うように１枚の粘着シート２が設けられる。
【００３１】
図６には、図５のスイッチ装置の周辺固定接点６１付近の拡大断面図を示している。この図に示すように、粘着シート２は可動接点ばね１の膨出部１０上面に粘着剤２０を介して被着され、環状鍔部１１の部分においては可動接点ばね１の上面から浮いた状態となっている。ただし、環状鍔部１１の先端部には当接し若干持ち上げられており第２の持ち上がり部２３を構成している。
【００３２】
また、粘着シート２の環状鍔部１１の外周側まで延びる粘着部２１は、基台６の周辺固定接点６１の外周側に当接し、粘着剤２０によって被着される。粘着部２１のさらに外周側は、基台６の上面に当接し、粘着剤２０によって被着される。ここで粘着部２１は周辺固定接点６１の外周縁の厚みによって持ち上げられ第１の持ち上がり部２２を構成している。なお、粘着剤２０には前述のように所定間隔毎に空気流路２６が形成されている。
【００３３】
このように、可動接点ばね１の外周縁部を膨出部１０の膨出方向に折り返した環状鍔部１１を設け、その先端部で粘着シート２を持ち上げた第２の持ち上がり部２３を形成するようにしたので、可動接点ばね１と粘着シート２の被着部分において粘着剤２０の凝集破壊が生じても、それが環状鍔部１１及び第２の持ち上がり部２３において堰き止められ、周辺固定接点６１や可動接点ばね１の内部に粘着剤２０が侵入することがない。また、第２の持ち上がり部２３が形成されることで、粘着シート２が周辺固定接点６１に対して当接する接触端部２７が、可動接点ばね１の常接接点部１３から離れた位置とすることができるので、粘着部２１における粘着剤２０の凝集破壊が生じた場合でも、粘着剤２０が常接接点部１３の位置まで侵入しにくいようにすることができる。
【００３４】
また、周辺固定接点６１の外周縁によって粘着シート２を持ち上げて第１の持ち上がり部２２を形成するようにしたので、周辺固定接点６１より外周側における粘着シート２の粘着剤２０に凝集破壊が生じた場合でも、それが可動接点ばね１側に侵入することを防ぐことができる。そしてこれらによって信頼性の高いスイッチ装置とすることができる。
【００３５】
図４〜図６には、本実施形態におけるスイッチ用可動接点体を基台６上に配置したスイッチ装置を示したが、スイッチ装置としては他の態様のものであってもよい。図７には、本実施形態におけるスイッチ用可動接点体を用いた別の形態のスイッチ装置の断面図を示している。図７に示すように、この形態のスイッチ装置は、可動接点ばね１を樹脂製のハウジング６５に納め、粘着シート２によって上部を覆ったものである。
【００３６】
ハウジング６５の底面には、中央固定接点６０と周辺固定接点６１が形成されており、可動接点ばね１は環状鍔部１１の常接接点部１３が周辺固定接点６１上に載置され、可動接点部１２は中央固定接点６０と対向するように配置される。また、ハウジング６５の各接点は外方に向かって突出する端子部６７と導通している。
【００３７】
ハウジング６５の側面はスペーサ部６６を構成しており、その上面に粘着シート２の粘着部２１が被着される。これによって粘着シート２は、環状鍔部１１の先端部との間に空隙を形成する。この場合においても環状鍔部１１は、粘着シート２と可動接点ばね１との間の粘着剤２０が凝集破壊を生じて流れた場合にも、それを堰き止める機能を有し、接点部分に粘着剤２０が侵入しないようにしている。また、環状鍔部１１の先端部と粘着シート２の間に空隙が形成されていることにより、粘着シート２による環状鍔部１１の先端部の拘束をなくし、より良好なクリック感触を得ることができる。
【００３８】
次に、本発明の第２の実施形態について説明する。図８には、本実施形態におけるスイッチ用可動接点体の断面図を示している。この図に示すように、本実施形態におけるスイッチ用可動接点体は、可動接点ばね１の上面側に粘着シート２を設けてこれを保持し、さらにスペーサシート３及び剥離シートとしてのセパレータシート４を介して下面側に保護シート５を設けてなるものである。すなわち、第１の実施形態のスイッチ用可動接点体と比べて、粘着シート２とセパレータシート４との間にスペーサシート３を設けた点が異なっている。このスペーサシート３の裏面には粘着剤が塗布されており、粘着シート２とこれに保持された可動接点ばね１およびスペーサシート３とが、剥離シートとしてのセパレータシート４から一体的に剥離可能に保持されている。このスイッチ用可動接点体をスイッチ装置に用いる際には、セパレータシート４及び保護シート５は除去されて、中央固定接点６０や周辺固定接点６１が形成された基台６に対して載置され、スペーサシート下面の粘着剤によって固定される。
【００３９】
このようにスペーサシート３を設けたことにより、粘着シート２の可動接点ばね１に対する接触端部２８は、第１の実施形態よりも高い位置となる。したがって、環状鍔部１１の先端部と粘着シート２との間には空隙が形成される。これによってスイッチ用可動接点体をスイッチ装置に組み込んだ際にも、粘着シート２によって環状鍔部１１の先端部を拘束することがなく、良好なクリック感触を得ることができる。その一方で環状鍔部１１によって、凝集破壊が生じた場合における粘着剤２０の可動接点ばね１内に対する侵入を防止することができる。
【００４０】
図９には、本実施形態におけるスイッチ装置の断面図を示している。この図に示すように、スペーサシート３は周辺固定接点６１の外周側部及び基台６の上面に当接する。粘着シート２はその上面に被着されるので、第１の実施形態のスイッチ装置に比べるとスペーサシート３の厚み分だけ上方に位置し、環状鍔部１１の先端部との間に空隙を形成する。その他の点については第１の実施形態におけるスイッチ装置と同様である。
【００４１】
図１０には、スイッチ装置の分解斜視図を示している。この図に示すように基台６上には複数の中央固定接点６０と周辺固定接点６１とのペアが配置されており、それに対応して複数の可動接点ばね１が設けられる。また、スペーサシート３は、各可動接点ばね１に対応した貫通孔部４０が形成されると共に、隣接する貫通孔部４０同士を連通させる連通孔部４１も形成される。このようにスペーサシート３に連通孔部４１が形成されていることにより、可動接点ばね１を反転させた際に連通孔部４１を介して空気を逃がすことができる。すなわち、連通孔部４１は空気流路として機能する。したがって、本実施形態では粘着シート２の下面に設けられる粘着剤２０について、第１の実施形態のような空気流路２６を形成する必要はない。さらに、これら全ての可動接点ばね１及びスペーサシート３を覆うように１枚の粘着シート２が設けられる。
【００４２】
図１１には、スイッチ装置の周辺固定接点６１付近の拡大断面図を示している。この図に示すように、スペーサシート３があることにより、第１の実施形態と異なり環状鍔部１１の先端部は粘着シート２との間に空隙を形成している。また、スペーサシート３は、周辺固定接点６１の外周部分に乗り上げるように設けられており、その上面に被着する粘着シート２も、周辺固定接点６１の外周縁によって第１の持ち上がり部２２を構成している。
【００４３】
可動接点ばね１と粘着シート２の被着部分において粘着剤２０の凝集破壊が生じても、それを可動接点ばね１の環状鍔部１１によって接点側へ移動することを阻止することができる。また、スペーサシート３によって粘着シート２が上方に持ち上げられていることにより、粘着シート２がスペーサシート３を介して周辺固定接点６１に対して当接する接触端部２７が、可動接点ばね１の常接接点部１３から離れた位置とすることができるので、粘着部２１における粘着剤２０の凝集破壊が生じた場合でも、粘着剤２０が常接接点部１３の位置まで侵入しにくいようにすることができる。さらには、第１の持ち上がり部２２によって、基台６とスペーサシート３との間の粘着剤、及びスペーサシート３と粘着シート２との間の粘着剤２０に凝集破壊が生じても、その移動を阻止することができる。
【００４４】
以上、本発明の実施形態について説明したが、本発明の適用はこれら実施形態に限られるものではなく、その技術的思想の範囲内において様々に適用されうるものである。
【図面の簡単な説明】
【００４５】
【図１】第１の実施形態におけるスイッチ用可動接点体の断面図である。
【図２】可動接点ばねの底面図及びＡ−Ａ断面図である。
【図３】粘着シートの底面図及びＡ−Ａ断面図である。
【図４】第１の実施形態におけるスイッチ装置の断面図である。
【図５】スイッチ装置の分解斜視図である。
【図６】スイッチ装置の周辺固定接点付近の拡大断面図である。
【図７】第１の実施形態におけるスイッチ用可動接点体を用いた別の形態のスイッチ装置の断面図である。
【図８】第２の実施形態におけるスイッチ用可動接点体の断面図である。
【図９】第２の実施形態におけるスイッチ装置の断面図である。
【図１０】スイッチ装置の分解斜視図である。
【図１１】スイッチ装置の周辺固定接点付近の拡大断面図である。
【符号の説明】
【００４６】
１    可動接点ばね
２    粘着シート
３    スペーサシート
４    セパレータシート
５    保護シート
６    基台
１０    膨出部
１１    環状鍔部
１２    可動接点部
１３    常接接点部
２０    粘着剤
２１    粘着部
２２    第１の持ち上がり部
２３    第２の持ち上がり部
２５    島状部
２６    空気流路
６０    中央固定接点
６１    周辺固定接点
【図１】
2007280616.tif 000003
【図２】
2007280616.tif 000004
【図３】
2007280616.tif 000005
【図４】
2007280616.tif 000006
【図５】
2007280616.tif 000007
【図６】
2007280616.tif 000008
【図７】
2007280616.tif 000009
【図８】
2007280616.tif 000010
【図９】
2007280616.tif 000011
【図１０】
2007280616.tif 000012
【図１１】
2007280616.tif 000013